【手続補正書】
【提出日】平成30年10月16日(2018.10.16)
【手続補正１】
【補正対象書類名】明細書
【補正対象項目名】０００５
【補正方法】変更
【補正の内容】
【０００５】
本願発明は、水面上下部の水排出用開口を上部に具備し水底の生物資源又は植物資源を 採取し或いは有機物資源又は無機物資源を採掘する資源回収開口を下部に具備する資源回 収用管により前記資源回収用管内の海水又は湖水或いは川水を循環して資源を前記資源回 収開口より採取し或いは採掘することを特徴とする水中資源回収装置及び水中資源回収方法を提供するものである。
請求項1に記載の水中資源回収装置は、上部に空気排出開口と水面上下部の水排出用開口を一端の上部に具備し資源を採取或いは採掘する資源回収開口を他端の下部に具備する資源回収構造物と、前記資源回収構造物内部の水面が前記資源回収構造物外の水面と同じである際前記水排出用開口を閉鎖する比重が水より小さく中央開口を具備する内部部材と、自然エネルギー発電手段と、前記空気排出開口と接続され前記資源回収構造物内での前記内部部材の上部の空気を前記自然エネルギー発電手段により排気する空気排気手段を備え、前記資源回収構造物内で上部の空気を前記空気排出手段により排気し前記資源回収構造物内の水面を前記資源回収構造物外の水面より上部に移動させ前記内部部材を前記資源回収構造物内の上部に移動させることにより前記水排出用開口を開放状態にして前記水排出用開口より海水又は湖水或いは川水を前記資源回収構造物の外に放出して前記資源回収構造物内の海水又は湖水或いは川水を徐々に上部に移動させ前記資源回収構造物内の海水又は湖水或いは川水を循環することにより前記資源回収開口より前記資源を前記資源回収構造物内に採取或いは採掘すると共に前記水排出開口より前記資源を回収することを特徴とする。
請求項２に記載の水中資源回収装置は、上部に空気排出開口と水面上下部の水排出用開口を一端の上部に具備し資源を採取し或いは採掘する資源回収開口と前記資源回収開口を閉鎖する資源開口閉鎖手段を他端の下部に具備する資源回収構造物と、前記資源回収構造物の一端の上部を保持する保持部材と前記水排出用開口から排出される水を貯水する貯水手段を具備する浮体構造物と、前記資源回収構造物内部の水面が前記資源回収構造物外の水面と同じである際前記水排出用開口を閉鎖する比重が水より小さく中央開口を具備する内部部材と、自然エネルギー発電手段と、前記空気排出開口と接続され前記資源回収構造物内での前記内部部材の上部の空気を前記自然エネルギー発電手段により排気する空気排気手段と、前記資源回収構造物下部に具備された撮像手段と、前記資源回収構造物の上端部に具備され前記撮像手段の出力を表示する表示手段とを備え、前記表示手段により前記資源回収構造物下部の資源を検出すると共に前記空気排気手段により前記資源回収構造物内の前記内部部材の上部の空気を排気することにより前記資源回収構造物内の水面を前記資源回収構造物外の水面より上部に移動させて前記内部部材を前記資源回収構造物内の上部に移動させることにより前記水排出用開口を開放状態にして前記水排出用開口より海水又は湖水或いは川水を前記資源回収構造物の外に放出して前記資源回収構造物内の海水又は湖水或いは川水を徐々に上部に移動させ循環することにより検出された前記資源を前記資源回収開口より挿入することにより前記資源を前記資源回収構造物内に採取或いは採掘すると共に前記水排出開口より資源を回収した後、前記資源回収構造物内に前記資源を捕獲した前記資源を回収することを特徴とする。
請求項３に記載の水中資源回収装置は、上部に空気排出開口と水面上の下部の水排出用開口を一端の上部に具備すると共に資源を効率良く採取し或いは採掘する内外径の小さな資源回収開口と前記資源回収開口を閉鎖する資源開口閉鎖手段を他端の下部に具備する資源回収構造物と、前記資源回収構造物上部の内部を貫通し前記内部の水面が前記資源回収構造物外の水面と同じである際前記水排出用開口を閉鎖する比重が水より小さく中央開口を具備する内部部材と、前記空気排出開口と接続し前記資源回収構造物内で前記内部部材の上部の空気を排気する空気排気手段を備え、前記空気排気手段により前記資源回収構造物の前記内部部材の上部の空気を排気することにより前記資源回収構造物内の水面を前記資源回収構造物外の水面より上部に移動させて前記内部部材を前記資源回収構造物内の上部に移動させることにより前記水排出用開口を開放状態にして前記水排出用開口より海水又は湖水或いは川水を前記資源回収構造物の外に放出すると共に前記資源回収構造物内の海水又は湖水或いは川水を徐々に上部に移動させて循環し海底又は湖底或いは川底近傍の小さな内外径の前記資源回収開口より資源を効率良く前記資源回収構造物内に採取し或いは採掘すると共に前記水排出開口より資源を回収した後、前記資源開口閉鎖手段により前記資源開口を閉鎖し前記資源回収構造物内に捕獲した前記資源を回収することを特徴とする 。
請求項４に記載の水中資源回収装置は、空気排出開口と中央部近傍に水排出用開口と片方側に被保持部を具備する中央管と資源を採取或いは採掘する資源回収開口と前記資源回収開口を閉鎖する資源開口閉鎖手段を端部に備え前記中央管の片方側に位置する片方管と前記中央管のもう一方側に位置し蛇腹により伸縮可能な他方蛇腹管とを備えた資源回収構造物と、前記中央管の内部を貫通し前記水排出用開口を閉鎖可能な比重が水より小さな内部貫通部材と、前記資源回収構造物の被保持部を保持し前記資源回収構造物を水平位置或いは前記資源回収開口を海底又は湖底或いは川底近傍の垂直位置に移動させる浮体構造物を備え、前記資源回収構造物管が水平位置の際内部に水と空気を内蔵すると共に前記他方蛇腹管を畳んだ後前記資源回収構造物を垂直位置に移動して前記資源回収開口を海底又は湖底或いは川底近傍の垂直位置に移動させると共に前記資源回収構造物内で前記内部貫通部材の上部の空気を前記空気排出開口より排気することにより前記資源回収構造物内の水面を前記資源回収構造物外の水面より上部に移動させて前記内部貫通部材を前記資源回収構造物内の上部に移動させることにより前記水排出用開口を開放状態にして前記水排出用開口より海水又は湖水或いは川水を前記資源回収構造物の外に放出して前記資源回収構造物内の海水又は湖水或いは川水を徐々に上部に移動させ前記資源回収構造物内の海水又は湖水或いは川水を循環することにより前記資源回収開口より前記資源回収構造物内に資源を採取或いは採掘すると共に前記水排出開口より資源を回収した後、前記資源回収構造物を再び水平位置に移動して捕獲した前記資源を回収することを特徴とする。
請求項５に記載の水中資源回収装置は、空気排出開口と中央部近傍に水排出用開口と片方側に被保持部を具備する中央管と資源を採取或いは採掘する資源回収開口と前記資源回収開口を閉鎖する資源開口閉鎖手段を端部に備え前記中央管の片方側に位置する片方管と前記中央管のもう一方側に位置し蛇腹により伸縮可能な他方蛇腹管とを備えた資源回収構造物と、前記中央管の内部を貫通し前記水排出用開口を閉鎖可能な比重が水より小さな内部貫通部材と、前記資源回収構造物の被保持部を保持し前記資源回収構造物を水平位置或いは前記資源回収開口を海底又は湖底或いは川底近傍の垂直位置に移動させると共にその水面との角度を少し変更する角度変更手段を具備する浮体構造物と、前記資源回収構造物下部に具備された撮像手段と前記資源回収構造物の中央管に具備され前記撮像手段の出力を表示する表示手段とを備え、前記資源回収構造物が水平位置の際内部に水と空気を内蔵すると共に前記他方蛇腹管を畳んだ後前記資源回収構造物を垂直位置に移動して前記資源回収開口を海底又は湖底或いは川底近傍の垂直位置に移動させると共に前記角度変更手段により前記資源回収構造物の水面との角度を少し変更して前記表示手段により前記資源回収開口付近の資源を検出すると共に前記資源回収構造物内で前記内部貫通部材の上部の空気を前記空気排出開口より排気することにより前記資源回収構造物内の水面を前記資源回収構造物外の水面より上部に移動させて前記内部貫通部材を前記資源回収構造物内の上部に移動させることにより前記水排出用開口を開放状態にして前記水排出用開口より海水又は湖水或いは川水を前記資源回収構造物の外に放出して前記資源回収構造物内の海水又は湖水或いは川水を徐々に上部に移動させ前記資源回収構造物内の海水又は湖水或いは川水を循環することにより前記資源回収開口より検出された前記資源を前記資源回収構造物内に採取或いは採掘すると共に前記水排出開口より資源を回収した後、前記資源回収構造物を再び水平位置に移動して捕獲した前記資源を回収することを特徴とする。
【手続補正２】
【補正対象書類名】特許請求の範囲
【補正対象項目名】全文
【補正方法】変更
【補正の内容】
【特許請求の範囲】
【請求項１】
上部に空気排出開口と水面上下部の水排出用開口を一端の上部に具備し資源を採取或いは採掘する資源回収開口を他端の下部に具備する資源回収構造物と、前記資源回収構造物内部の水面が前記資源回収構造物外の水面と同じである際前記水排出用開口を閉鎖する比重が水より小さく中央開口を具備する内部部材と、自然エネルギー発電手段と、前記空気排出開口と接続され前記資源回収構造物内での前記内部部材の上部の空気を前記自然エネルギー発電手段により排気する空気排気手段を備え、前記資源回収構造物内で上部の空気を前記空気排出手段により排気し前記資源回収構造物内の水面を前記資源回収構造物外の水面より上部に移動させ前記内部部材を前記資源回収構造物内の上部に移動させることにより前記水排出用開口を開放状態にして前記水排出用開口より海水又は湖水或いは川水を前記資源回収構造物の外に放出して前記資源回収構造物内の海水又は湖水或いは川水を徐々に上部に移動させ前記資源回収構造物内の海水又は湖水或いは川水を循環することにより前記資源回収開口より前記資源を前記資源回収構造物内に採取或いは採掘すると共に前記水排出開口より前記資源を回収することを特徴とする水中資源回収装置。
【請求項２】
上部に空気排出開口と水面上下部の水排出用開口を一端の上部に具備し資源を採取し或いは採掘する資源回収開口と前記資源回収開口を閉鎖する資源開口閉鎖手段を他端の下部に具備する資源回収構造物と、前記資源回収構造物の一端の上部を保持する保持部材と前記水排出用開口から排出される水を貯水する貯水手段を具備する浮体構造物と、前記資源回収構造物内部の水面が前記資源回収構造物外の水面と同じである際前記水排出用開口を閉鎖する比重が水より小さく中央開口を具備する内部部材と、自然エネルギー発電手段と、前記空気排出開口と接続され前記資源回収構造物内での前記内部部材の上部の空気を前記自然エネルギー発電手段により排気する空気排気手段と、前記資源回収構造物下部に具備された撮像手段と、前記資源回収構造物の上端部に具備され前記撮像手段の出力を表示する表示手段とを備え、前記表示手段により前記資源回収構造物下部の資源を検出すると共に前記空気排気手段により前記資源回収構造物内の前記内部部材の上部の空気を排気することにより前記資源回収構造物内の水面を前記資源回収構造物外の水面より上部に移動させて前記内部部材を前記資源回収構造物内の上部に移動させることにより前記水排出用開口を開放状態にして前記水排出用開口より海水又は湖水或いは川水を前記資源回収構造物の外に放出して前記資源回収構造物内の海水又は湖水或いは川水を徐々に上部に移動させ循環することにより検出された前記資源を前記資源回収開口より挿入することにより前記資源を前記資源回収構造物内に採取或いは採掘すると共に前記水排出開口より資源を回収した後、前記資源回収構造物内に前記資源を捕獲した前記資源を回収することを特徴とする 水中資源回収装置。
【請求項３】
上部に空気排出開口と水面上の下部の水排出用開口を一端の上部に具備すると共に資源を効率良く採取し或いは採掘する内外径の小さな資源回収開口と前記資源回収開口を閉鎖する資源開口閉鎖手段を他端の下部に具備する資源回収構造物と、前記資源回収構造物上部の内部を貫通し前記内部の水面が前記資源回収構造物外の水面と同じである際前記水排出用開口を閉鎖する比重が水より小さく中央開口を具備する内部部材と、前記空気排出開口と接続し前記資源回収構造物内で前記内部部材の上部の空気を排気する空気排気手段を備え、前記空気排気手段により前記資源回収構造物の前記内部部材の上部の空気を排気することにより前記資源回収構造物内の水面を前記資源回収構造物外の水面より上部に移動させて前記内部部材を前記資源回収構造物内の上部に移動させることにより前記水排出用開口を開放状態にして前記水排出用開口より海水又は湖水或いは川水を前記資源回収構造物の外に放出すると共に前記資源回収構造物内の海水又は湖水或いは川水を徐々に上部に移動させて循環し海底又は湖底或いは川底近傍の小さな内外径の前記資源回収開口より資源を効率良く前記資源回収構造物内に採取し或いは採掘すると共に前記水排出開口より資源を回収した後、前記資源開口閉鎖手段により前記資源開口を閉鎖し前記資源回収構造物内に捕獲した前記資源を回収することを特徴とする水中資源回収装置。
【請求項４】
空気排出開口と中央部近傍に水排出用開口と片方側に被保持部を具備する中央管と資源を採取或いは採掘する資源回収開口と前記資源回収開口を閉鎖する資源開口閉鎖手段を端部に備え前記中央管の片方側に位置する片方管と前記中央管のもう一方側に位置し蛇腹により伸縮可能な他方蛇腹管とを備えた資源回収構造物と、前記中央管の内部を貫通し前記水排出用開口を閉鎖可能な比重が水より小さな内部貫通部材と、前記資源回収構造物の被保持部を保持し前記資源回収構造物を水平位置或いは前記資源回収開口を海底又は湖底或いは川底近傍の垂直位置に移動させる浮体構造物を備え、前記資源回収構造物管が水平位置の際内部に水と空気を内蔵すると共に前記他方蛇腹管を畳んだ後前記資源回収構造物を垂直位置に移動して前記資源回収開口を海底又は湖底或いは川底近傍の垂直位置に移動させると共に前記資源回収構造物内で前記内部貫通部材の上部の空気を前記空気排出開口より排気することにより前記資源回収構造物内の水面を前記資源回収構造物外の水面より上部に移動させて前記内部貫通部材を前記資源回収構造物内の上部に移動させることにより前記水排出用開口を開放状態にして前記水排出用開口より海水又は湖水或いは川水を前記資源回収構造物の外に放出して前記資源回収構造物内の海水又は湖水或いは川水を徐々に上部に移動させ前記資源回収構造物内の海水又は湖水或いは川水を循環することにより前記資源回収開口より前記資源回収構造物内に資源を採取或いは採掘すると共に前記水排出開口より資源を回収した後、前記資源回収構造物を再び水平位置に移動して捕獲した前記資源を回収することを特徴とする 水中資源回収装置。
【請求項５】
空気排出開口と中央部近傍に水排出用開口と片方側に被保持部を具備する中央管と資源を採取或いは採掘する資源回収開口と前記資源回収開口を閉鎖する資源開口閉鎖手段を端部に備え前記中央管の片方側に位置する片方管と前記中央管のもう一方側に位置し蛇腹により伸縮可能な他方蛇腹管とを備えた資源回収構造物と、前記中央管の内部を貫通し前記水排出用開口を閉鎖可能な比重が水より小さな内部貫通部材と、前記資源回収構造物の被保持部を保持し前記資源回収構造物を水平位置或いは前記資源回収開口を海底又は湖底或いは川底近傍の垂直位置に移動させると共にその水面との角度を少し変更する角度変更手段を具備する浮体構造物と、前記資源回収構造物下部に具備された撮像手段と前記資源回収構造物の中央管に具備され前記撮像手段の出力を表示する表示手段とを備え、前記資源回収構造物が水平位置の際内部に水と空気を内蔵すると共に前記他方蛇腹管を畳んだ後前記資源回収構造物を垂直位置に移動して前記資源回収開口を海底又は湖底或いは川底近傍の垂直位置に移動させると共に前記角度変更手段により前記資源回収構造物の水面との角度を少し変更して前記表示手段により前記資源回収開口付近の資源を検出すると共に前記資源回収構造物内で前記内部貫通部材の上部の空気を前記空気排出開口より排気することにより前記資源回収構造物内の水面を前記資源回収構造物外の水面より上部に移動させて前記内部貫通部材を前記資源回収構造物内の上部に移動させることにより前記水排出用開口を開放状態にして前記水排出用開口より海水又は湖水或いは川水を前記資源回収構造物の外に放出して前記資源回収構造物内の海水又は湖水或いは川水を徐々に上部に移動させ前記資源回収構造物内の海水又は湖水或いは川水を循環することにより前記資源回収開口より検出された前記資源を前記資源回収構造物内に採取或いは採掘すると共に前記水排出開口より資源を回収した後、前記資源回収構造物を再び水平位置に移動して捕獲した前記資源を回収することを特徴とする水中資源回収装置。